(57)【要約】【課題】水質の悪い地域や中水利用においては、カルシウムイオンやマグネシウムイオンなどの金属イオンに起因する汚れが便器に付着し、清掃が困難になるという問題があった。【解決手段】キレート樹脂を用いたをフィルターをトイレの水タンク手洗い部など洗浄水の給水経路に設置することにより、カルシウムイオンやマグネシウムイオンなどの金属イオンをキレート樹脂により除去されることにより、金属イオンに起因する汚れが便器に付着する事を防止できる。【選択図】　図２
2004116166.tif 000002
【特許請求の範囲】
【請求項１】
キレート樹脂を用いたことを特徴とするトイレ用水質改善フィルター。
【請求項２】
便器へ水を供給する洗浄水の経路の何れかにキレート樹脂からなるフィルターを配置したことを特徴とするトイレ。
【請求項３】
前記経路は、手洗い部であることを特徴とするトイレ。
【発明の詳細な説明】
【０００１】
【産業上の利用分野】
本発明は、トイレの水タンクの水質を改善するフィルター及びそれを用いたトイレに関するものである。
【０００２】
【従来の技術】
トイレの流水には一般的に水道水が用いられるが、水道水といっても成分的には地域差がある。例えば温泉地帯の水の場合、比較的ミネラル分が多い傾向があるし、沖縄などはカルシウム分が多いといった特徴がある。その為、このような地域では、鉄分が多い場合は酸化鉄が析出し易く、カルシウム分が多い場合、炭酸カルシウムが析出し易いことになる。
【０００３】
また、陽イオン交換体を用いた軟水化装置によりカルシウムイオン、マグネシウムイオンを除去するものが提案されているが、上記のような上水ではなく、中水や浴槽水を水質改善してトイレの流水に利用する方法が開示されている。（例えば、特許文献１参照。）
【０００４】
【特許文献１】
特開２００２−３８５４９号公報
【０００５】
【発明が解決しようとする課題】
前記のような水質の悪い地域の上水やもともと水質の良くない中水をトイレの流水として利用する場合、金属イオンが多く含まれる為、金属イオンに起因する汚れが便器に付着するといった問題があった。
【０００６】
例えば、カルシウムイオンの多い水の場合、水に溶解している二酸化炭素と反応し、水垢の成分である炭酸カルシウムとして便器に付着してしまう。また、鉄イオンが多い水の場合、水に溶解している酸素と反応して赤茶色の酸化鉄として便器に付着してしまう。
【０００７】
便器に付着したこれらの汚れは、日常の清掃では、なかなか取れず、また、付着成分と便器の釉薬層との熱膨張の違いにより微細なクラックが生じ、その部分に細菌がたまり、便器の黒ずみの原因にもなってしまうという問題があった。
【０００８】
【課題を解決するための手段】
本発明は前記のような問題に鑑みてなされたものであり、キレート樹脂を用いた事を特徴とするトイレ用水質改善フィルターである。
【０００９】
ここでキレート樹脂は、化１に示すように立体的に便器の汚れ成分を構成するカルシウムイオンや鉄イオン等の金属イオンを捕獲し閉じ込める為、金属イオン除去性能に優れている。これに対して先行技術に記載されるような従来の陽イオン交換樹脂では、化２に示すように構造的特異性がない為、陰イオンとの接触などにより、捕獲した金属イオンが再び水中に解離してしまう事があり、効率が良くなく、金属イオンを十分に除去できない。
【００１０】
【化１】
2004116166.tif 000003
【００１１】
【化２】
2004116166.tif 000004
【００１２】
また、便器へ水を供給する洗浄水の経路の何れかにキレート樹脂からなるフィルターを配置したことを特徴とするトイレとする。
【００１３】
本発明によれば、便器のボール面に洗浄水が導入される前の配管経路のどこかで、汚れの要因となる金属イオンを捕獲すようにすることで、汚れを未然に防ぐことが可能となる。
【００１４】
更に、手洗い部にキレート樹脂を配置する。トイレの水タンクには、一般的に手洗いが付いている場合が多い。この手洗い部からタンクの中に水が入り、たまる構造となっている。この手洗い部にトイレ用水質改善フィルターを設置し、このフィルターを介して水がタンクの中に入るようにすれば、水の中に含まれるカルシウムイオンや鉄イオンが除去され、水タンクの中には金属イオンの少ない水がたまる事になる。この水を流しても金属イオンが少ない為、便器に金属イオンに起因する汚れが付着する事がなく、トイレをきれいに保つ事ができる。水タンクを有する便器の場合、便器への洗浄水給水のための水タンクの排水管に配置しても良いが、キレート樹脂の交換を考慮すると手洗い部に配置するのが望ましい。
【００１５】
【実施の形態】
本発明に関する実施例を図に基づいて以下に説明する。
図１は、トレイルームに配置したトイレ１であり、便器２、便器２のボール面２ａに洗浄水を供給する水タンク３、水タンク３の蓋を兼ねる吐出部４を有する手洗い部５からなる。６は、手洗い部５に載置されたトイレ用水質改善フィルター（以下、単にフィルターと称す。）である。
【００１６】
図２はトイレの手洗い付き水タンクの手洗い部にフィルターを設置したものの説明図である。吐出部からの水の全てが、フィルタ６を経由して水タンクへ入るように、水タンクへの流入口の中、即ち、水タンク内に一部を挿入した状態で設置すると良い。このように配置することで、手洗いによって飛散した水もフィルタを介して水タンクに導入できる。更には、吐出部４の吐出口を塞ぐようにフィルタを着脱自在に取り付けることで、手洗いによって飛散する水の問題は、無視でき、更に、手洗い部の清掃にも影響がないので、望ましい形態である。
【００１７】
図３はトイレ用水質改善フィルターの詳細図である。底面にキレート樹脂７を通さない程度の樹脂製メッシュ８を配した樹脂製のケース９の中にキレート樹脂７を充填している。水はキレート樹脂７粒子間を通って、水タンクの中へ入っていくことになる。その際、水の中に含まれる金属イオンが除去される為、水タンクには金属イオンの少ない水がたまる事になり、これを便器に流しても金属イオンに起因する汚れが付着する事を防止できる。
【００１８】
利用できるキレート樹脂としては、例えば、基体に多孔性の架橋ポリスチレンやキトサンを用い、金属イオン捕獲部位にイミノジ酢酸基、アミノジ尿酸基、アミノリン酸基、Ｎ−メチルグルカミン基を用いたものが利用できる。
キレート樹脂の粒径としては０．０１〜２ｍｍの範囲が好ましい。０．０１ｍｍより小さいと圧損失が大きくなり、水タンク内に水がたまるのに時間がかかってしまう。また２ｍｍより大きいと水との接触面積が小さく金属イオンの捕獲効率が低くなってしまう。
【００１９】
フィルターを配置する個所としては、上記のほか水タンク内や洗浄水を供給する図示しないフラッシュバルブの下流の配管に設置しても良い。
【００２０】
【発明の効果】
本発明によれば、トイレの水タンクにたまる水から金属イオンが除去される為、金属イオンに起因する汚れが便器に付着する事を防止でき、便器を長期にわたってきれいに保つ事ができる。
【図面の簡単な説明】
【図１】本発明の実施例を説明する図である。
【図２】図１はトイレの水タンク手洗い部にトイレ用水質改善フィルターを設置した状態である。
【図３】図２はトイレ用水質改善フィルターの断面図である。
【符号の説明】
１　トレイ
２　便器
２ａ　ボール面
３　水タンク
４　手洗い部
５　吐出部
６　トイレ用水質改善フィルター
７　キレート樹脂
８　樹脂製メッシュ
９　樹脂製ケース
【図１】
2004116166.tif 000005
【図２】
2004116166.tif 000006
【図３】
2004116166.tif 000007